(57)【特許請求の範囲】
【請求項１】
本体ケースと、前記本体ケースに収容されたヒータと、前記本体ケースの開口部に配置され前記ヒータにより加熱されるプレートと、前記プレート上に配置される取り外し可能な蓋とを備え、
前記プレートを間に挟んだ状態で、前記本体ケースと前記蓋とをロック可能なロック部材を有し、
前記本体ケースの一側面に形成された第１の支持部と、前記蓋に形成された第２の支持部とによって、前記ロック手段により前記本体ケースと前記蓋とがロックされている状態で、載置面上に、前記本体ケースの前記開口部が略垂直となるように載置可能であることを特徴とする電気加熱調理器。
【請求項２】
本体ケースと、前記本体ケースに収容されたヒータと、前記本体ケースの開口部に配置され前記ヒータにより加熱されるプレートと、前記プレート上に配置される蓋とを備え、
前記プレートを間に挟んだ状態で、前記本体ケースと前記蓋とをロック可能なロック部材を有し、
前記本体ケースの一側面に形成された第１の支持部と、前記蓋に形成された第２の支持部とによって、前記ロック手段により前記本体ケースと前記蓋とがロックされている状態で、載置面上に、前記本体ケースの前記開口部が略垂直となるように載置可能であり、
前記第１の支持部と前記第２の支持部とが互いに係合可能な係合手段であり、前記第１の支持部と前記第２の支持部とが係合された状態で、前記係合手段の端部が前記載置面に当接することで、前記載置面上に、前記本体ケースの前記開口部が略垂直となるように載置可能であることを特徴とする電気加熱調理器。
【請求項３】
本体ケースと、前記本体ケースに収容されたヒータと、前記本体ケースの開口部に配置され前記ヒータにより加熱されるプレートと、前記プレート上に配置される蓋とを備え、
前記プレートを間に挟んだ状態で、前記本体ケースと前記蓋とをロック可能なロック部材を有し、
前記本体ケースの一側面に形成された第１の支持部と、前記蓋に形成された第２の支持部とによって、前記ロック手段により前記本体ケースと前記蓋とがロックされている状態で、載置面上に、前記本体ケースの前記開口部が略垂直となるように載置可能であり、
前記第２の支持部が、前記蓋の上面取手を兼ねていることを特徴とする電気加熱調理器。
【請求項４】
本体ケースと、前記本体ケースに収容されたヒータと、前記本体ケースの開口部に配置され前記ヒータにより加熱されるプレートと、前記プレート上に配置される蓋とを備え、
前記プレートを間に挟んだ状態で、前記本体ケースと前記蓋とをロック可能なロック部材を有し、
前記本体ケースの一側面に形成された第１の支持部と、前記蓋に形成された第２の支持部とによって、前記ロック手段により前記本体ケースと前記蓋とがロックされている状態で、載置面上に、前記本体ケースの前記開口部が略垂直となるように載置可能であり、
前記第２の支持部によって、前記蓋が自立可能であることを特徴とする電気加熱調理器。
【発明の詳細な説明】
【技術分野】
【０００１】
本発明は、本体ケースとプレートと蓋とを備えたホットプレートなどの電気加熱調理器に関し、特に、本体ケースとプレートと蓋とを一体化してコンパクトに収納できる電気加熱調理器に関する。
【背景技術】
【０００２】
本体ケース上に載置されたプレートを本体ケース内のヒータにより加熱して、焼き肉やお好み焼きなど各種の加熱調理を行うことができるホットプレートをはじめとする電気加熱調理器は、内食化の進展による家族で一緒に調理しながら食事をする機会の増加や、ホームパーティーの流行などに伴ってその需要を拡大している。また、近年では、平板状のプレートに加えて、たこ焼き用などの特定の調理に適した形状のプレートや、調理中の油を本体ケース内の収容部に落下させる機能を備えた特殊形状のプレートなど、複数種類のプレートがセットされていて使用者が調理目的や好みに応じて各種プレートを使い分けるホットプレートが登場して人気を博している。
【０００３】
このようなホットプレートは、調理時にも収納時にもプレート上に載置して使用される蓋をさらに備えていて、ホットプレートを収納する時には、蓋と本体ケースとの間に各種プレートを挟み込んだ状態で、本体ケースに設けられたロック機構により一体化できるようになっているものが多い。
【０００４】
テーブル上に載置された使用状態では、平面視したときの面積が大きく高さが相対的に小さいホットプレートを収納する場合には、プレートの側面を下にして、本体ケースの開口面が直立するような状態となる、いわゆる縦置き収納とすることにより、コンパクトに収納することができる。
【０００５】
ホットプレートを縦置き収納する方法として、Ｕ字状に形成された一対の支持脚でホットプレートを挟んだ状態で縦置き収納を可能にする方法（特許文献１参照）、ホットプレートの本体ケースを蓋側から覆って一体化することができる収納ケースの側面を利用してホットプレートを立てる方法（特許文献２参照）、本体ケースの側面に突起状の脚部を形成し、縦置きしたときに本体ケースを蓋とは反対の側に少し傾斜させる方法（特許文献３参照）など、各種の方法が提案されている。
【先行技術文献】
【特許文献】
【０００６】
【特許文献１】実公昭６１−４０２６８号公報
【特許文献２】特開２００１−１７８６３１号公報
【特許文献３】特開２００６−２４７４０８号公報
【発明の概要】
【発明が解決しようとする課題】
【０００７】
上記したホットプレートなどの電気加熱調理器を縦置き収納する方法において、Ｕ字状に形成された一対の支持脚で電気加熱調理器を挟んだ状態で縦置きを可能にする方法や、電気加熱調理器の本体ケースを蓋側から覆う収納ケースの側面を利用する方法では、電気加熱調理器を縦置き収納するための部材が別途必要になる。したがって、縦置き収納するための部材の分だけ電気加熱調理器の収納時の外形、特に収納幅が大きくなる。また、別部材が必要となることでコスト高になる、さらに、電気加熱調理器を使用する際には収納に使用する別部材が却って邪魔になる、などの問題が生じる。
【０００８】
また、本体ケースの側面に縦置き収納のための脚部を形成し、本体ケースを蓋とは反対の側に傾斜させて収納する方法では、本体ケースを垂直に立てた場合と比較して電気加熱調理器の収納のために必要な収納幅が大きくなってしまう。
【０００９】
本発明はこのような従来技術の課題を解決するものであり、より狭いスペースに縦置き収納することができる電気加熱調理器を得ることを目的とする。
【課題を解決するための手段】
【００１０】
上記課題を解決するため、本発明の電気加熱調理器は、本体ケースと、前記本体ケースに収容されたヒータと、前記本体ケースの開口部に配置され前記ヒータにより加熱されるプレートと、前記プレート上に配置される取り外し可能な蓋とを備え、前記プレートを間に挟んだ状態で、前記本体ケースと前記蓋とをロック可能なロック部材を有し、前記本体ケースの一側面に形成された第１の支持部と、前記蓋に形成された第２の支持部とによって、前記ロック手段により前記本体ケースと前記蓋とがロックされている状態で、載置面上に、前記本体ケースの前記開口部が略垂直となるように載置可能であることを特徴とする。
【発明の効果】
【００１１】
本発明の電気加熱調理器は、本体ケースの一側面に形成された第１の支持部と、蓋に形成された第２の支持部とによって、ロック手段により本体ケースと蓋とがロックされている状態で、載置面上に、本体ケースの開口部が略垂直となるように載置可能である。このため、縦置き収納するための他の部材を用いることなく、狭い収納幅内に縦置き収納することができる。
【図面の簡単な説明】
【００１２】
【図１】第１の実施の形態にかかるホットプレートの分解斜視図である。
【図２】第１の実施の形態にかかるホットプレートがロックされている状態を示す斜視図である。
【図３】第１の実施の形態にかかるホットプレートの縦置き収納状態を示す側面図である。
【図４】ホットプレートの縦置き収納状態における収納幅を比較する図である。
【図５】第１の実施の形態にかかるホットプレートの蓋の自立状態を説明する図である。
【図６】第１の実施の形態にかかるホットプレートの蓋の変形例を示す図である。
【図７】第１の実施の形態にかかるホットプレートの蓋の第２の変形例を示す図である。
【図８】第１の実施の形態にかかるホットプレートの蓋の第３の変形例を示す図である。
【図９】第２の実施の形態にかかるホットプレートがロックされている状態を示す斜視図である。
【図１０】第２の実施の形態にかかるホットプレートの縦置き収納状態を示す側面図である。
【図１１】第２の実施の形態にかかるホットプレートの蓋の自立状態を説明する図である。
【発明を実施するための形態】
【００１３】
本発明の電気加熱調理器は、本体ケースと、前記本体ケースに収容されたヒータと、前記本体ケースの開口部に配置され前記ヒータにより加熱されるプレートと、前記プレート上に配置される蓋とを備え、前記プレートを間に挟んだ状態で、前記本体ケースと前記蓋とをロック可能なロック部材を有し、前記本体ケースの一側面に形成された第１の支持部と、前記蓋に形成された第２の支持部とによって、前記ロック手段により前記本体ケースと前記蓋とがロックされている状態で、載置面上に、前記本体ケースの前記開口部が略垂直となるように載置可能である。
【００１４】
本発明の電気加熱調理器は、上記構成を備えることで、プレートを間に挟んだ状態で、本体ケースと蓋とをロック部材でロックしている状態で、本体ケースの一側面に形成された第１の支持部と、蓋に形成された第２の支持部とによって、載置面上に、本体ケースの開口部が略垂直となるように載置することができる。このように、本体部と蓋との両方にそれぞれ支持部を備えていることで、電気加熱調理器の縦置き収納時に本体ケースの開口部を略垂直な状態にすることができるため、縦置き収納時の収納幅を最も狭くすることができる。
【００１５】
上記構成において、前記第１の支持部の端部と前記第２の支持部の端部とが、前記載置面に直接当接することで、前記載置面上に、前記本体ケースの前記開口部が略垂直となるように載置可能であることが好ましい。このようにすることで、縦置き収納時の電気加熱調理器の重心が、本体ケースに形成された第１の支持部と蓋に形成された第２の支持部との間に位置するようになり、電気加熱調理器を安定した状態で、本体ケースの開口部が略垂直となる状態で縦置き収納することができる。
【００１６】
また、上記構成において、前記第１の支持部と前記第２の支持部とが互いに係合可能な係合手段であり、前記第１の支持部と前記第２の支持部とが係合された状態で、前記係合手段の端部が前記載置面に当接することで、前記載置面上に、前記本体ケースの前記開口部が略垂直となるように載置可能であることが好ましい。このようにすることで、ロック部材に加えて係合手段で本体ケースと蓋とをしっかりと係合することができるとともに、係合手段を用いて電気加熱調理器を縦置き収納することができるため、電気加熱調理器を安定して一体化した状態で縦置き収納することができる。
【００１７】
この場合において、前記本体ケースの前記一側面に、前記載置面上に載置されたときに前記載置面に当接する補助支持部材をさらに備えたことが好ましい。このようにすることで、電気加熱調理器をより安定して縦置き収納することができる。
【００１８】
また、前記第２の支持部が、前記蓋の周辺部に形成されているようにすることができる。このようにすることで、第２の支持部材を小型化でき、蓋全体の軽量化やコストダウンを図ることができる。また、前記第２の支持部が、前記蓋の上面取手を兼ねているようにすることができる。このようにすることで、大きな取手で蓋を持ちやすくすることができる。
【００１９】
さらに、前記第２の支持部によって、前記蓋が自立可能であることが好ましい。このようにすることで、調理中や乾燥中などに蓋を自立させることができ、実用上便利である。
【００２０】
また、この構成において、前記第２の支持部の前記蓋の内面側に、露受けプレートを備えることが好ましい。このようにすることで、蓋を自立させた場合の実用性をさらに向上することができる。
【００２１】
以下、本発明の電気加熱調理器の一例としてホットプレートを取り上げ、その詳細構成について図面を参照して説明する。
【００２２】
（第１の実施の形態）
本発明の電気加熱調理器の第１の実施の形態として、本体ケースに形成された第１の支持部と、蓋に形成された第２の支持部とが、いずれも、その端部が載置面に直接当接することで、電気加熱調理器の一例であるホットプレートを縦置き収納することができる形態のものについて説明する。
【００２３】
図１は、本実施形態にかかるホットプレートの構成を示す分解斜視図である。また、図２は、本実施形態のホットプレートが、収納するためにロックされた状態を示す斜視図である。
【００２４】
図１に示すように、本実施形態のホットプレート１００は、本体ケース１０と、本体ケース１０内に配置される遮熱板２０およびヒータ３０、ヒータ３０の熱により調理を行うプレート４０、プレート４０の上面を覆う蓋５０とを備えている。
【００２５】
本体ケース１０はホットプレート１００の外郭を構成する樹脂製部材であり、本実施形態のホットプレート１００は、平面視略矩形状である。ここで平面視略矩形状とは、平面視したときの基本的な外形が、互いに対向する一対の長辺と一対の短辺とで構成された矩形状であることを意味するが、いわゆる長方形とは異なり、４つの角部において各辺が曲線で接続されていたり、各辺が完全な直線ではなく、わずかに外側または内側に湾曲していたりする形状を含むものである。また、後述する支持部や、ホットプレートを持ち運ぶための取手部などの部材が、本体ケース１０の側面から一部で突出する形状、これとは反対に本体ケース１０の側面の一部に、凹部もしくは切り欠き部が形成されている形状などを含むものである。
【００２６】
本体ケース１０は、全体として有底枠状の皿形状を呈していて、枠状部１１の上端部分が開口部１２となっている。本体ケース１０の底面１３の中央には、貫通孔１４が形成されている。また、本体ケース１０の底面１３の裏側には、ホットプレート１００をテーブル上などに載置する際に用いられる図１では図示しない複数個の脚部１５（図３参照）が配置されている。
【００２７】
本体ケース１０の短辺側の両側面には、本体ケース１０に対して回動可能に、ロック部材である硬質樹脂製のロックレバー１６が設けられている。ロックレバー１６は、２つの脚部１６ａとこの脚部１６ａ間を接続する接続部１６ｂからなる略「コの字」形状をしていて、２つの脚部１６ａの一端部分が、本体ケース１０の側面に形成された図示しない回動軸の周りを回動するようになっている。
【００２８】
ロックレバー１６は、図１に示すように、本体ケース１０と蓋５０とがロックされていない状態では、接続部１６ｂが下側になる状態で本体ケース１０の側面に沿って位置し、図２に示すように、本体ケース１０と蓋５０とが、間にプレート４０を介してロックされる状態では、接続部１６ｂが蓋５０の短辺側両側面に形成されたロック部材である硬質樹脂製の突起部５２ａに係合するようになっている。なお、本実施形態のホットプレート１００においては、ロックレバー１６と突起部５２ａとで蓋５０が本体ケース１０にロックされる構成であればよく、ロックレバー１６の形状、突起部５２ａの形状、ロックレバー１６の回動機構、ロックレバー１６と突起部５２ａとの係合機構などの具体的な形状および機構については、従来周知のものを含め各種の形態を取りうるため詳細な説明は省略する。
【００２９】
本実施形態のホットプレート１００では、本体ケース１０の一側面に、本体ケース１０の側壁１１から突出するように第１の支持部である一対の本体脚部１７が形成されている。本体脚部１７は、硬質樹脂で形成することができる。また、硬質樹脂に限らず、一部または全体を金属で形成することができる。本体脚部１７の図１における手前側の端部は、載置面に当接する本体載置端面１７ａとなっている。
【００３０】
本体ケース１０の本体脚部１７が形成されている側とは反対側の長辺の側面には、本体ケース１０と蓋５０とをロックした状態でホットプレート１００を持ち運びができるように、図示しない取手部としての把手が配置されている。
【００３１】
なお、本実施形態では、本体ケース１０として樹脂製部材のものを例示して説明したが、本体ケース１０は、金属で構成することができ、また、金属の骨組みに樹脂製のカバーを用いて本体ケース１０とすることができる。また、本体ケース１０の底面１３には、軽量化を図る等のために、小さな貫通孔や剛性を高めるためのリブ等を形成することができる。
【００３２】
遮熱板２０は、金属製の薄板をプレス加工により一体成形されたもので、平面視したときの形状は、本体ケース１０と同様に略矩形状となっている。遮熱板２０も、全体としては浅い皿状とされていて、本体ケース１０内に載置される。遮熱板２０は、その表面側、すなわち、本体ケース１０の開口部１２側に配置される加熱手段であるヒータ３０の熱を反射して、本体ケース１０の底面１３側が必要以上に高温にならないようにするとともに、ヒータ３０からの輻射熱をより有効にプレート４０に伝える働きをする。このように、ヒータ３０の熱を反射する機能をより効率よく果たすために、遮熱板２０の表面に熱をより効率的に反射できるような処理を施すことができる。また、遮熱板２０は１枚に限らず、複数枚配置することもできる。
【００３３】
ヒータ３０は、図に示すように平面視形状が略Ｍ字状、または、Ｙ字状やハート型に形成されていて、一例としてシーズヒータが用いられる。シーズヒータは、金属パイプの中にコイル状の電熱線を通し、パイプと電熱線間の接触を防ぐためマグネシアなどの耐熱性の無機質絶縁粉末を詰め、金属パイプの両端を密封した構造を有するもので、インコロイヒータとも称されるものである。ヒータ３０の端部には、感熱棒を有する図示しない温度調節器が着脱自在に取り付けられる電源ソケット３１が形成されていて、温度調節器の温度ダイヤルを回して適正な温度制御を行う。なお、ヒータ３０は、シーズヒータに限られず他のヒータを用いることができる。
【００３４】
なお、図１に示すように、本実施形態のホットプレート１００では、遮熱板２０とヒータ３０とが一体となっている場合を例示したが、ヒータ３０が汚れた場合に洗浄等しやすいように、遮熱板２０とヒータ３０とを互いに分離可能とすることもできる。
【００３５】
プレート４０は、例えばアルミダイカスト製の板であり、やはり平面視略矩形状となっている。本実施形態のホットプレート１００では、プレート４０として、平面プレート４１と、プレート底面に穴と波様の畝が形成された波形プレート４２との２枚を備えたものである。平面プレート４１および波形プレート４２とは、いずれも浅い皿状に形成されていて、短辺側の両方の側部から突き出すように形成された把手４１ａ、および、４２ａを備えている。本実施形態のプレート４０では、把手４１ａ、４２ａは樹脂で形成されていて、使用者がプレートを保持する際に掴む部分の径を大きくして、掴みやすくなっている。
【００３６】
プレート４０は、調理時には、いずれかを単独で本体ケース１０の開口部１２に載置して用いられる。また、ホットプレート１００の収納時には、複数枚が所定の順序で重ねられた状態で、本体ケース１０と蓋５０との間に配置される。
【００３７】
なお、本実施形態にかかるホットプレート１００のプレート４０は、上記例示した平面プレートと波形プレートとの２枚セットのものを例示したが、これに限定されるものではなく、１枚、もしくは、３枚以上のものがセットされているものとすることができる。また、プレート４０を複数枚備える場合には、それぞれのプレートがいずれも外径が同じ平面視略矩形状の浅い皿状のものに限られず、例えば、たこ焼き用の半球状の凹部が形成されているような、厚みの厚いプレートを含むこともできる。さらに、プレートが一体のものである必要はなく、所定の枠状プレートに各種の板状プレートを載せ替えて使用するようにすることができる。
【００３８】
蓋５０は、鋼板製で、プレート４０とほぼ同じ平面視略矩形状の部材であり、その外周端部には補強用等の機能を有するカール５１が形成されている。このカール５１は、プレート４０の上方周辺部分に載置される。蓋５０の断面形状は、プレート４０上に載置した場合に中央部が盛り上がって上に凸形状となるように、略円弧状に形成されている。
【００３９】
蓋５０の短辺側の上面端部には、蓋側面取手５２が形成されるとともに、蓋側面取手５２の端部がロック部材として本体ケース１０に形成されたロックレバー１６と係合して蓋５０と本体ケース１０とをロックする突起部５２ａとなっている。
【００４０】
蓋５０を平面視したときの中央部分には、蓋中央取手５３が形成されている。蓋側面取手５２が主として蓋５０を持ち運ぶ際に用いられるのに対し、蓋中央取手５３は、プレート４０上に蓋を被せて調理している際に、蓋５０を持ち上げてプレート４０の表面を露出させる際に主として用いられる。
【００４１】
蓋５０の一長辺近傍の略中央部分には、第２の支持部である蓋脚部５４が形成されている。本実施形態のホットプレート１００において、蓋脚部５４は硬質樹脂製であり、蓋５０の図１における手前側の側方に、突出するように形成されている。蓋脚部５４の端部は、載置面に当接する蓋載置端面５４ａとなっている。
【００４２】
図２に示すように、本実施形態のホットプレート１００を収納する場合には、本体ケース１０の内部に遮熱板２０とヒータ３０とを収納し、２枚のプレート４１、４２を積層して本体ケース１０の開口部１２に配置し、プレート４０上に配された蓋５０の側方の突起部５２ａに、ロックレバー１６を係合させる。２枚のプレート４１、４２は、それぞれが浅い皿状であるが、プレート面と側方の傾斜部分との大きさを配慮することで、重ね合わせた際の厚みが低減されている。このため、ロックレバー１６により、２枚のプレート４１および４２は、蓋５０とともに本体ケース１０にしっかりとロックされる。なお、プレート４１、４２の側方の把手４１ａ、４２ａは、ロックレバー１６が蓋５０の蓋側面取手５２の端部に形成された突起部５２ａに係合した状態で、ロックレバー１６の脚部１６ａの間から外側に突出するように構成されている。
【００４３】
図２に示すように、本体ケース１０には一対の本体脚部１７が、蓋には蓋脚部５４が、それぞれ図２における手前側に突出するように形成されている。本実施形態のホットプレート１００では、所定の面積を有する本体脚部１７の端部に位置する本体接地面１７ａと、所定の面積を有する蓋脚部５４の端部に位置する蓋接地面５４ａとが、載置面に直接当接することで、ロック状態のホットプレート１００を縦置き収納することができる。
【００４４】
図３は、本実施形態のホットプレート１００を縦置き収納した状態を側方から見た図である。
【００４５】
図３に示すように、本実施形態のホットプレート１００は、本体ケース１０の一側面に配置された第１の支持部である本体脚部１７と、蓋５０に配置された第２の支持部である蓋脚部５４とによって、安定して本体ケース１０の開口部１２が載置面６０に対して略垂直となるように、直立させることができる。特に、蓋５０に蓋脚部５４が形成されているため、本体脚部１７の載置面６０に対する接触部分である本体接地面１７ａと、蓋脚部５４の載置面６０に対する接触部分である蓋接地面５４ａとが、縦置きした状態のホットプレート１００の底面積に対して相対的に広い範囲を支持することができる。また、本体ケース１０の開口部１２部分に配置されているプレート４０によって、縦置き状態にした場合のホットプレート１００の重心は相対的に中央よりも蓋５０側に位置することになるが、本実施形態のホットプレート１００では、蓋５０に蓋脚部５４が形成されているため、ホットプレート１００の重心位置を、本体脚部１７と蓋脚部５４との間に位置させることができる。このため、縦置き状態のホットプレート１００に仮に側方からの力が加わった場合でも、蓋５０側に倒れにくくすることができるという効果を奏する。
【００４６】
図４は、本実施形態のホットプレート１００と、特許文献３に記載された、本体ケースの側面に縦置き収納用の脚部が形成された従来のホットプレート２００とが、ともに載置面６０上に、縦置き収納状態で載置されている状態を側方から比較したものである。
【００４７】
図４に示すように、本実施形態のホットプレート１００では、本体ケースに形成された本体脚部と、蓋に形成された蓋脚部とによって、本体ケースの開口部が略垂直となるように縦置きすることができる。このため、縦置き収納時の収納幅Ｗ１を、ホットプレート１００自体の厚さと同じとすることができる。
【００４８】
これに対し、比較例である従来のホットプレート２００は、本体ケース側に傾斜した状態で縦置き収納するものであるため、縦置き収納時の収納幅Ｗ２が、ホットプレート２００の厚さよりも大きくなり、Ｗ２＞Ｗ１となってしまう。例えば、ロック状態での本体ケース部分の大きさが、長辺側が約５２ｃｍ、短辺側が約３８ｃｍの製品において、Ｗ１が約１３．３ｃｍであるのに対し、Ｗ２は約１５．６ｃｍとなり、本実施形態のホットプレート１００が、狭い収納幅での縦置き収納することが可能であることがわかる。
【００４９】
なお、本明細書における略垂直とは、載置面と本体ケースの開口部とのなす角度が厳密に９０．０度になる場合のみならず実質的に垂直である状態をいい、上記特許文献３に記載の従来のホットプレートのように、開口面を意図的に傾斜させている状態を含まないものである。
【００５０】
次に、蓋５０の自立構造について説明する。
【００５１】
図５は、本実施形態のホットプレート１００の蓋５０が、自立した状態を示す側面図である。
【００５２】
図５に示すように、本実施形態のホットプレートの蓋５０は、蓋脚部５４の先端部５４ｂが、蓋５０の内面側に屈曲して蓋接地面５４ａを形成する構成となっている。このため、本体ケース１０と組み合わされていない状態でも、蓋５０を載置面６０上に自立させることができる。
【００５３】
ホットプレート１００を用いる調理の中には、例えば餃子を焼く場合など、蓋５０をプレート４０上に被せて行う調理がある。このように蓋５０を用いた調理中に、蓋５０を外す場合には、高温となった蓋５０をホットプレートが載置されているテーブル面にどのように載置するかが問題となる。そのまま蓋５０をテーブル上に載置すると、テーブルを焦がしたりテーブルクロスを傷めたりする可能性があり、蓋を裏返して蓋中央取手で支えるようにテーブル上に載置するのは困難で、使用者が蓋５０に触れてしまう危険があるからである。本実施形態のホットプレート１００のように、蓋５０が蓋脚部５４によって自立する構成であれば、蓋５０を安全に、また、テーブルクロスなどを傷めることなくテーブル上などに載置することができる。また、蓋５０が自立することにより、調理中のホットプレートの近傍に蓋５０を立てて配置することができるため、蓋５０を用いない調理を行っている場合には、プレート４０から油や水分が飛び散ることを防止するガード板として蓋５０を利用することもできる。
【００５４】
蓋５０に形成される第２の支持部としての蓋脚部５４は、図３および図５に例示したように、蓋５０の一方の長辺近傍の中央部分に配置するものに限られない。
【００５５】
図６は、本実施形態にかかるホットプレートに用いられる蓋の変形例を示す斜視図である。
【００５６】
図６に示すように、変形例の蓋５０１は、第２の支持部である蓋脚部５５を２つ備えている。そして、変形例の蓋５０１は、互いに所定の間隔をあけて配置された２つの蓋脚部５５によって自立することが可能となる。なお、変形例の蓋５０１が備える蓋脚部５５の形状は、幅のみが図５に示した蓋５０の蓋脚部５４と比較して狭い他は、実施形態の蓋５０の蓋脚部５４と同じ形状、すなわち、蓋脚部５５の先端部が蓋５０１の内面側に屈曲する形状とすることで、変形例の蓋５０１を確実に自立させることができる。
【００５７】
図７は、本実施形態にかかるホットプレートに用いられる蓋の第２の変形例を示す斜視図である。
【００５８】
図７に示す第２の変形例の蓋５０２は、蓋脚部５５の上面の蓋５０２の内面側に脱着可能な露受け５６を備えた構成となっている。上記したように、本実施形態の蓋は自立可能であるため、蓋を用いて調理する場合に、蓋を自立させてホットプレートの近傍に載置することができるというメリットを有している。しかし、調理に用いていた蓋は高温となっていることが多く、また、蓋の内面には調理時にはねた油分が付着している可能性がある。このため、蓋を自立させた場合には、蓋の内面に付着した水蒸気や油分等が、蓋の内面を伝って載置面であるテーブル上などに滴り落ちてしまうという問題が生じる。
【００５９】
これに対し、図７に示した、第２の変形例の蓋５０２のように、蓋脚部５５の蓋５０２の内面側に露受け５６を備えることで、蓋５０２から滴り落ちる水分や油分などを受け止めて蓋５０２を載置するテーブルなどを汚さずにすむようにできる。
【００６０】
なお、本実施形態の第２の変形例の蓋５０２において、露受け５６を着脱自在とすることにより、本体ケース１０と蓋５０２とがロックされた状態での縦置き収納時には、露受け５６が邪魔にならずにコンパクトに収容することができる。
【００６１】
図８は、本実施形態にかかるホットプレートに用いられる蓋の第３の変形例を示す側面図である。
【００６２】
第３の変形例の蓋５０３は、第２の支持部である蓋脚部５７が、蓋５０３の上面側中央に配された蓋中央取手に接続されるように形成されている点が、図５、図６、図７に示した他の蓋５０、５０１、５０２と異なる。
【００６３】
図８に示すように、蓋５０３の上面中央部に配された蓋中央取手５３に蓋脚部５７を形成することで、実質的に蓋中央取手５３が大きくなったことと同様の効果が得られるため、蓋中央取手５３を用いた蓋５０３の取り扱いが容易となるという利点を有する。
【００６４】
なお、蓋中央取手５３と蓋脚部５７とは一体ものとして形成してもよく、別々の部材として形成したものを接続してもよいことは言うまでもない。
【００６５】
また、図８では図示していないが、第３の変形例の蓋５０３においても、図７で示した第２の変形例の蓋５０２のように、蓋脚部５７の蓋５０３の内面側に、着脱可能な露受けを配置することができ、蓋５０３を自立させた場合に滴り落ちる水分や油分を受け止めることができる。
【００６６】
（第２の実施の形態）
次に、本発明にかかる電気加熱調理器具の第２の実施の形態について、ホットプレートを例として図面を用いて説明する。なお、第２の実施形態にかかるホットプレートは、縦置き収納時に用いられる本体部に形成された第１の支持部と、蓋に形成された第２の支持部とが、上記第１の実施形態で説明したホットプレートと異なるものである。このため、第１の支持部以外の本体ケースの構成、遮熱板、ヒータ、プレート、蓋の基本構造など、第１の実施形態と同じ構成の部分には必要に応じて同じ符号を付し、その詳細な説明は省略する。
【００６７】
図９は、第２の実施形態にかかるホットプレート１１０のロック状態を示す斜視図である。また、図１０は、第２の実施形態にかかるホットプレート１１０を、縦置きした状態を示す側面図である。
【００６８】
図９に示すように、第２の実施形態のホットプレート１１０では、図９における手前側に位置する本体ケース１０の一側面に、ロック機構と略同様の構成からなり、蓋５０に形成された蓋係合部５８と係合可能な第１の支持部である本体係合部１８が形成されている。そして、本実施形態のホットプレート１１０では、本体係合部１８の係合レバー１９が、蓋５０に形成された第２の支持部である蓋係合部５８と係合して、プレート４０を間に挟んで、本体ケース１０と蓋５０とをより強固にロックすることができる。
【００６９】
また、図１０に示すように、本体ケース１０に形成された本体係合部１８の係合レバー１９と蓋５０に形成された蓋係合部５８とが係合している状態において、蓋係合部５８は直接載置面６０に当接せず、蓋係合部５８に係合した状態の本体係合部１８の端面１８ａおよび係合レバー１９の端面１９ａが載置面６０に当接し、ロック状態のホットプレート１１０を本体ケース１０の開口部１２が略垂直となるように、載置面６０上に載置することができる。
【００７０】
本実施形態のホットプレート１１０では、縦置き収納時にホットプレート１１０を支える支持部材が、プレート４０を挟んだ状態で本体ケース１０と蓋５０とをロックする係合部材とを兼ねている。このため、縦置き収納時に、比重の大きなプレートの下側に本体ケース１０と蓋５０とを係合する係合部材が位置することになり、プレート４０の自重によりロック状態がゆるんでしまうことを効果的に防止することができる。
【００７１】
本実施形態のホットプレート１１０では、本体ケース１０と蓋５０とを係合する係合部１８が、脚部として縦置き収納状態のホットプレート１１０を支えることができる。このため、本体ケース１０の側面に、第１の実施形態として示したホットプレート１００における本体脚部１７のように、側面から突出した部材を形成せずに、ホットプレート１１０を縦置き収納することができる。したがって、本実施形態のホットプレート１１０においては、本体ケース１０の側面の形状を、より美観を重視した設計とすることができる。
【００７２】
一方、図９、および、図１０に示す第２の実施形態のホットプレート１１０において、第１の実施形態のホットプレート１００の本体部１０に形成された、本体脚部１７に相当する部材を、補助支持部材としてさらに備えることができる。このように、第１の支持部である本体係合部１８に加えて、補助支持部材として図１等に示した本体脚部１７に相当する部材をさらに備えることで、縦置き収納状態のホットプレートの底面積に対して、より分散された広い面積でホットプレート１１０を載置面６０上に載置することができるため、ホットプレート１１０をより一層安定した状態で縦置き収納することができる。
【００７３】
図１１は、本実施形態にかかるホットプレート１１０の蓋５０の構成を示す図である。図１１（ａ）が、自立状態の蓋５０をその外側面の側から見た斜視図であり、図１１（ｂ）が自立状態の蓋５０を側面から見た側面図である。
【００７４】
図１１（ａ）、および、図１１（ｂ）に示すように、本実施形態の蓋５０も、第２の支持部である蓋係合部５８の形状を工夫することで、載置面６０上に自立させることができる。より具体的には、蓋５０を自立状態としたときに、載置面に当接する面が広く蓋５０の中央部分側に位置する部分の厚さが薄くなるように、蓋係合部５８の断面形状を略三角形とすることで、安定して蓋５０を自立させることができる。
【００７５】
また、より容易に自立状態を保つことができるように、蓋５０に形成された蓋係合部５８に引き出して支えとなるような支柱部材５９を形成することができる。
【００７６】
以上、説明したように、本発明にかかる電気加熱調理器であるホットプレートは、本体ケースに第１の支持部を配置し、蓋に第２の支持部を配置することで、ロック手段により本体ケースと蓋とがロックされた状態のホットプレートを、容易に、かつ収納幅を低減した状態で縦置き収納することができる。
【００７７】
また、第１の支持部と第２の支持部の形状を工夫することで、縦置き収納時の安定性を高め、比重の大きなプレートが蓋側に位置するために重心が蓋側に寄って位置しているホットプレートを、安定して自立させることができる。
【００７８】
さらに、蓋に第２の支持部を備えることで蓋を自立させることができ、調理時に高温となった蓋を容易かつ安全にホットプレートの近傍に載置することができる。
【００７９】
なお、上記各実施形態では、ホットプレートとして、プレートおよび本体ケースの平面視形状が、略矩形状のもののみを例示して説明した。しかし、本発明のホットプレートは、平面視したときのプレートや本体ケースの形状が略矩形状のものに限られるのではなく、オーバル状、楕円形状、円形状などのさまざまな形状のホットプレートに適用することができる。
【００８０】
さらに本発明は、例示して説明したホットプレートに限らず、平面視円形状で比較的深いプレートを備えたいわゆる電気鍋や、クレープ専用の調理器、ホットサンド、鯛焼きなどを調理できる２つの面状のプレートを備えた電気加熱調理器など、プレートや本体ケースの形状に関わらず、蓋と本体ケースとでプレートを挟んでロックすることができる構成を備えた各種の電気加熱調理器に適用することができ、電気加熱調理器をコンパクトに縦置き収納することができる。
【産業上の利用可能性】
【００８１】
本発明の電気加熱調理器は、狭い収納幅の縦置き収納が可能であり、コンパクトに収納することができるものとして有用である。
【符号の説明】
【００８２】
１０  本体ケース
１７  本体脚部（第１の支持部）
３０  ヒータ
４０（４１、４２）  プレート
５０  蓋
５４  蓋脚部（第２の支持部）
１００  ホットプレート（電気加熱調理器）
【図１】
0005962966.tif 000002
【図２】
0005962966.tif 000003
【図３】
0005962966.tif 000004
【図４】
0005962966.tif 000005
【図５】
0005962966.tif 000006
【図６】
0005962966.tif 000007
【図７】
0005962966.tif 000008
【図８】
0005962966.tif 000009
【図９】
0005962966.tif 000010
【図１０】
0005962966.tif 000011
【図１１】
0005962966.tif 000012